(57)【要約】      （修正有）【課題】コネクタを保護する効果がある電器用伝送線を提供する。【解決手段】接続線４０の両端にそれぞれ第一コネクタと第二コネクタが設置され、かつその接続線４０が第一ケーシング１０と第二ケーシング２０を貫通し、前記第一コネクタが前記第一ケーシング１０にあり、前記第二コネクタが前記第二ケーシング２０にある。その中、前記第一ケーシング１０と前記第二ケーシング２０が分離可能方式で結合すると設計され、前記第一ケーシング１０が前記第二ケーシング２０と合体する場合、前記第一コネクタと第二コネクタをその中に包み、飛び出された接続線４０はつり下げ用具と兼用できる。【選択図】図１
0003197173.tif 000002
【実用新案登録請求の範囲】
【請求項１】
第一ケーシングと、
分離可能方式で第一ケーシングに結合する第二ケーシングと、
第一ケーシングと第二ケーシングを貫通する接続線と、を含み、
前記接続線には両端があり、その片端は第一コネクタに接続し、第一コネクタは第一ケーシングの中にあり、他端は第二コネクタに接続し、第二コネクタは第二ケーシングの中にある、電器用伝送線。
【請求項２】
第一ケーシングはケーシングと内カバーを含み、ケーシングとその内カバーが接続してその間に空間を形成し、前記接続線の片端はケーシングに通じてその空間の中にあり、内カバーに設置された第一コネクタに電気的接続する、請求項１記載の電器用伝送線。
【請求項３】
第一コネクタはプラグ、回路基板とトランスを含み、前記プラグは内カバーの外部を軸に回転し、前記回路基板とトランスは内カバーにはめ込まれ、回路基板とトランスとプラグは電気的接続する、請求項２記載の電器用伝送線。
【請求項４】
第一コネクタは絶縁板、回転座と導電片を含み、前記絶縁板は回路基板とプラグの間に設置され、回転座は回転可能に絶縁板に設置し、回転座にプラグを設置し、導電チップは絶縁板に嵌め込み、かつ導電チップとプラグ及び回路基板は電気的接続する、請求項３記載の電器用伝送線。
【請求項５】
第二コネクタは複数の金属端子を含むコネクタであり、前記コネクタは第一ケーシングと第二ケーシングが結合する時、前記プラグの２つの雄ラッチの間にある、請求項３記載の電器用伝送線。
【請求項６】
第一ケーシングの内カバーに複数のほぞ穴があり、第二ケーシングに複数のほぞがあり、第一ケーシングと第二ケーシングはほぞ穴とほぞで組み合わせて結合する、請求項２記載の電器用伝送線。
【請求項７】
第一磁性部品と第二磁性部品とを含み；その中、第一磁性部品は第一ケーシングの内カバーに設置し、第二磁性部品は第二ケーシングに設置し、第一ケーシングと第二ケーシングは第一磁性部品と第二磁性部品の磁気作用で結合する、請求項２記載の電器用伝送線。
【請求項８】
第一粘着フェルトと第二粘着フェルトを含み；そのうち、第一粘着フェルトは第一ケーシングに設置し、第二粘着フェルトは第二ケーシングに設置し、第一ケーシングと第二ケーシングは第一粘着フェルトと第二粘着フェルトの接着で結合する、請求項２記載の電器用伝送線。
【考案の詳細な説明】
【技術分野】
【０００１】
本考案は電子製品の電力伝送構造に関わる。特に電器用の伝送線を指す。
【背景技術】
【０００２】
既存電子製品が使用する伝送線は使用対象及び使用環境の需要に応じて接続線が必要とし、かつ接続線の両端にそれぞれ非対称式コネクタ構造がある。前記既存伝送線は、両端が異なるコネクタでそれぞれの異なる電器に連結して電力や信号伝送の目的に達するのである。しかし収納時、前記伝送線をしっかり収納しようとしても、その両端のコネクタは外に飛び出される場合が多く、コネクタの表面が汚されて電気的接続効果が悪化したり、衝突でコネクタが変形され使用ができなくなったりすることが多い。
【０００３】
移動電子装置が充電する時に使用する電源線を例に説明すると、その一端のコネクタは移動電子装置のポートに挿入し、他端は２つのプラグがある電源プラグであり、ソケットに挿入することで電力を伝送する。この時コネクタと電源プラグの端子が露出されて保護がないため、汚損される恐れがある。その上、長い電源線を収納するにも面倒くさくなる。
【先行技術文献】
【特許文献】
【０００４】
【特許文献１】特開２００１−０７８４５２号公報
【考案の概要】
【考案が解決しようとする課題】
【０００５】
このため、本案は電器用伝送線をうまく収納して前記コネクタを保護する効果がある製品提供する。
【課題を解決するための手段】
【０００６】
上記目的を達成するため、本案が提供する電器用伝送線は分離可能方式で結合する第一ケーシングと第二ケーシングを含む；接続線で第一ケーシングと第二ケーシングを貫通し、前記接続線に両端があり、その片端は第一コネクタに接続し、前記第一コネクタは前記第一ケーシングの中にあり、他端は第二コネクタに接続し、前記第二コネクタは前記第二ケーシングの中にある。
【０００７】
本案の効果として、前記第一ケーシングと前記第二ケーシングが合体する時、前記接続線の両端にある第一コネクタと第二コネクタをその中に包み、外に飛び出される接続線はつり下げ用具と兼用できる。
【図面の簡単な説明】
【０００８】
【図１】本案の比較的に良い実施例の立体図である。
【図２】図１の分解図である。
【図３】第一ケーシングと第二ケーシングを分離する状態を示す平面図である。
【図４】第一ケーシングと第二ケーシングをドッキングする状態を示す断面図である。
【図５】本案の第一コネクタを示す立体図である。
【図６】第二コネクタを第一コネクタの２つの雄ラッチの間に収納するのを示す立体図である。
【図７】図４と同類で、第一ケーシングと第二ケーシングを磁気方式で結合するのを示す。
【図８】図４と同類で、第一ケーシングと第２ケーシングを接着方式で結合するのを示す。
【考案を実施するための形態】
【０００９】
本案をはっきり説明するため、比較的に良い実施例を挙げて図式で詳しく説明する。図１〜図３は本案が比較的に良い実施例で電器用の伝送線１００である。その中に第一ケーシング１０、第二ケーシング２０、第一コネクタ３０、接続線４０と第二コネクタ５０がある。前記電器用の伝送線１００は電力や信号伝送に利用され、本実施例では電力を移動電子装置に伝送することを例にして、前記電器用伝送線１００の第一コネクタ３０は電源コンセントに挿入可能なプラグ構造であり、前記第二コネクタ５０は移動電子装置のポートに挿入可能な電気コネクタである。以下はそれぞれ説明する。
【００１０】
その第一ケーシング１０はプラスチック製軽量の堅いケーシングであり、ケーシング１２と内カバー１４から構成し、図４に示すように、前記ケーシング１２とその内カバー１４が接合して相互に空間Ｓを形成し、前記接合方式は緊密連結、粘着、高周波数などが含まれるものに限定されない。また、前記ケーシング１２に配線穴１２Ａがあって前記空間Ｓに通じる。前記内カバー１４のトップがくぼんで窪み１４Ａを形成し、かつ側面穴１４Ｂがその空間Ｓと窪み１４Ａに通じる。この内カバー１４の上部に複数のほぞ穴１４cが設置される。
【００１１】
前記第二ケーシング２０もプラスチック製軽量の堅いケーシングであり、配線穴２０Ａと複数のほぞ２０Ｂがあり、前記ほぞ２０Ｂがケーシングの内壁に一体成形し、図４に示すように、前記第二ケーシング２０はそのほぞ２０Ｂで前記第一ケーシング１０の内カバー１４の１４cほぞ穴に組み込み、前記第一ケーシング１０を前記第二ケーシング２０とドッキングする。逆に、ちょっと力を入れると前記第一ケーシング１０を第二ケーシング２０から分離できる。前記実施例では、第一ケーシング１０と第二ケーシング２０がプラスチック製であるが、実際その他の材質で制作して素材の質感と特性を表現することが排除しない。
【００１２】
図５に示すように、その第一コネクタ３０は回路基板３１、トランス３２、絶縁板３３、回転座３４、導電チップ３５とプラグを含む。そのうち、前記回路基板３１の下部にトランス３２を電気的接続し、回路基板３１の上部に絶縁板３３を設置する；前記回転座３４は回転可能に絶縁板３３に結び付け、前記導電チップ３５は絶縁板３３に組み合わせる；前記プラグは第一導電ピン３６と２つの雄ラッチ３７を含む、そのうち２つの雄ラッチ３７は平行に回転座３４に挿入し、前記第一導電ピン３６は前記２つの雄ラッチ３７を貫通し、かつその片端は導電チップ３５に当接し、導電チップ３５の他端は第二導電ピン３８を経て回路基板３１に電気的接続し、これにより前記プラグは回路基板３１と電気的接続を形成する。
【００１３】
組立て後の前記回路基板３１とトランス３２は内カバー１４にはめ込まれて前記空間Ｓの中にあり、前記２つの雄ラッチ３７は前記内カバー１４の側穴１４Ｂから貫通して窪み１４Ａの中にあり、その２つの雄ラッチ３７は使用位置Ｐ１と収納位置Ｐ２の間に回転される（図５参照）。前記２つの雄ラッチ３７が使用位置Ｐ１にある場合、電源コンセントに挿入し、その２つの雄ラッチ３７は収蔵位置Ｐ２にある場合、第一ケーシング１０と第二ケーシング２０の結合を干渉しない。
【００１４】
前記接続線４０の片端は第一ケーシング１０のケーシング１２の配線穴１２Ａを貫通して空間Ｓの中に入り、前記回路基板３１に電気的接続する；前記接続線４０の他端は第二ケーシング２０の配線穴２０Ａを貫通し、第二コネクタ５０に接続する。本実施例では、第二コネクタ５０は複数の金属端子５２を含むコネクタである。特に説明するのは、前記第二コネクタ５０が前記プラグの２つの雄ラッチ３７の間に収納されることで、前記第一ケーシング１０と前記第二ケーシング２０をしっかり結合する（図６参照）。
【００１５】
本実施例の電器用伝送線１００は第一ケーシング１０と第二ケーシング２０が合体する時、その接続線４０の両端の第一コネクタ３０と第二コネクタ５０をその中に包み、コネクタの収納と保護に利用される。コネクタが使用されない時、外に晒されて汚損されるのを避けるためである。また外に飛び出される接続線をつり下げ用具に兼用し、図１に示すように、これで電器用伝送線１００はまさにストラップに見える。
【００１６】
また説明するのは、前記実施例の第一ケーシング１０と第二ケーシング２０はほぞ穴１４cにほぞ２０Ｂを組み合わせる方式でドッキング・分離する目的に達成する。実際制作時、ほぞ穴とほぞを省略してもよく、図７のように、第一ケーシング１０Ａの内カバー１４Ａに第一磁性部品６０を設置し、第二ケーシング２０Ａに第二磁性部品７０を設置する。磁気作用を利用して第一ケーシング１０Ａと第二ケーシング２０Ａを結合し、磁気吸引を克服する上、ちょっとした力で裏面から第一ケーシング１０Ａと第二ケーシングを分離する。又は、図８が示すように、第一ケーシング１０Ｂと第二ケーシング２０Ｂのドッキング位置に、それぞれ第一粘着フェルト８０と第二粘着フェルト９０を設置し、第一粘着フェルト８０と第二粘着フェルト９０が相互粘着して第一ケーシング１０Ｂを第二ケーシング２０Ｂと結合し、同様にちょっとした力で裏面から第一ケーシング１０Ｂを第二ケーシング２０Ｂから分離できる。
【００１７】
以上述べたのはただ本案の比較的に良い実施例だけであるが、本案の説明書及び特許申請範囲に基づき行った等価変化は本案の特許範囲内にあると主張する。
【符号の説明】
【００１８】
１００  …  電器用伝送線
１０、１０Ａ、１０Ｂ  …  第一ケーシング
１２  …  ケーシング   １２Ａ  …  配線穴     １４  …  内カバー
１４Ａ  …  窪み       １４Ｂ  …  側穴       １４ｃ  …  ほぞ穴
Ｓ  …  空間
２０、２０Ａ、２０Ｂ  …  第二ケーシング
２０Ａ  …  配線穴     ２０Ｂ  …  ほぞ
３０  …  第一コネクタ
３１  …  回路基板     ３２  …  トランス     ３３  …  絶縁板
３４  …  回転座       ３５  …  導電チップ   ３６  …  第一導電ピン
３７  …  雄ラッチ     ３８  …  第二導電ピン
Ｐ１  …  使用位置
Ｐ２  …  収納位置
４０  …  接続線
５０  …  第二接続線
５２  …  金属端子
６０  …  第一磁性部品
７０  …  第二磁性部品
８０  …  第一粘着フェルト
９０  …  第二粘着フェルト
【図１】
0003197173.tif 000003
【図２】
0003197173.tif 000004
【図３】
0003197173.tif 000005
【図４】
0003197173.tif 000006
【図５】
0003197173.tif 000007
【図６】
0003197173.tif 000008
【図７】
0003197173.tif 000009
【図８】
0003197173.tif 000010